(57)【要約】【課題】表示装置の冷却ファンの制御をより適切に行うことが可能な制御システム等を提供すること。【解決手段】制御システム１１０が、所定のシーンにおける画像情報に基づく画像の表示および前記画像情報に伴う音声情報に基づく音声の出力に先立って、前記所定のシーンにおける音声情報に基づき、音圧値を示す音圧情報を生成する音圧情報生成部１１４と、前記音圧情報に基づく音圧値に応じ、投写部１５０を冷却するための少なくとも１つの冷却ファンの駆動を制御するファン制御部１１６とを含んで構成される。【選択図】図１
2007127696.tif 000002
【特許請求の範囲】
【請求項１】
所定のシーンにおける画像情報に基づく画像の表示および前記画像情報に伴う音声情報に基づく音声の出力に先立って、前記所定のシーンにおける音声情報に基づき、音圧値を示す音圧情報を生成する音圧情報生成部と、
前記音圧情報に基づく音圧値に応じ、所定の熱源を冷却するための少なくとも１つの冷却ファンの駆動を制御するファン制御部と、
を含むことを特徴とする制御システム。
【請求項２】
請求項１に記載の制御システムにおいて、
前記ファン制御部は、前記音圧値が基準値を超える場合は冷却ファンの回転速度を通常速度よりも速くし、前記音圧値が基準値未満の場合は冷却ファンの回転速度を通常速度よりも遅くするように前記冷却ファンの駆動を制御することを特徴とする制御システム。
【請求項３】
請求項１、２のいずれかに記載の制御システムにおいて、
前記画像の表示および前記音声の出力を遅延させるために、前記画像情報および前記音声情報を一時的に記憶する記憶部を含むことを特徴とする制御システム。
【請求項４】
請求項１〜３のいずれかに記載の制御システムにおいて、
前記熱源の温度を計測して前記温度を示す温度情報を生成する温度情報生成部を含み、
前記ファン制御部は、前記音圧情報と、前記温度情報とに基づき、前記冷却ファンの駆動を制御することを特徴とする制御システム。
【請求項５】
請求項４に記載の制御システムにおいて、
前記ファン制御部は、前記音圧情報に基づく前記冷却ファンの制御情報を、前記温度情報で表される温度に応じて補正することにより、前記冷却ファンの駆動を制御することを特徴とする制御システム。
【請求項６】
請求項１〜５のいずれかに記載の制御システムにおいて、
前記音圧情報生成部は、単位時間当たりの音圧値を平均化することによって前記音圧情報を生成することを特徴とする制御システム。
【請求項７】
請求項１〜６のいずれかに記載の制御システムにおいて、
前記音圧情報生成部は、前記音圧値を示す情報を、時間軸において前側にシフトすることによって前記音圧情報を生成することを特徴とする制御システム。
【請求項８】
請求項７に記載の制御システムにおいて、
前記音圧情報生成部は、前記シフト前の前記音圧値の推移を示す第１の線分、時間軸、前記第１の線分の始点から前記時間軸への垂線、前記第１の線分の終点から前記時間軸への垂線によって形成される面積と、前記シフト後の前記音圧値の推移を示す第２の線分、前記時間軸、前記第２の線分の始点から前記時間軸への垂線、前記第２の線分の終点から前記時間軸への垂線によって形成される面積とが等しくなるように、前記シフトに応じて前記音圧値を上げた情報を、前記音圧情報として生成することを特徴とする制御システム。
【請求項９】
請求項１〜８のいずれかに記載の制御システムにおいて、
前記ファン制御部は、複数の冷却ファンの回転速度を下げる場合、騒音に対する寄与度の最も高い冷却ファンから回転速度を下げるように前記複数の冷却ファンの駆動を制御することを特徴とする制御システム。
【請求項１０】
請求項１〜９のいずれかに記載の制御システムと、
前記画像情報に基づいて画像を表示する表示部と、
を含む表示装置。
【請求項１１】
コンピュータを、
所定のシーンにおける画像情報に基づく画像の表示および前記画像情報に伴う音声情報に基づく音声の出力に先立って、前記所定のシーンにおける音声情報に基づき、音圧値を示す音圧情報を生成する音圧情報生成部と、
前記音圧情報に基づく音圧値に応じ、所定の熱源を冷却するための少なくとも１つの冷却ファンの駆動を制御するファン制御部として機能させることを特徴とするプログラム。
【請求項１２】
請求項１１に記載のプログラムを記憶した、コンピュータ読み取り可能な情報記憶媒体。
【発明の詳細な説明】
【技術分野】
【０００１】
本発明は、表示装置の冷却ファンの制御を行う制御システム、表示装置、プログラムおよび情報記憶媒体に関する。
【背景技術】
【０００２】
一般的に、表示装置には、ランプ等の熱源の温度上昇を抑えるため、冷却ファンが設けられている。例えば、特許文献１には、プロジェクタの内部温度に応じて冷却ファンの回転速度を制御するプロジェクタが記載されている。プロジェクタのランプ等の温度を低下させるためには冷却ファンの回転速度を上げる必要があるが、視聴者にとっては、冷却ファンの回転速度が上がると騒音も大きくなるため、冷却ファンの回転速度は遅い方が好ましい。
【０００３】
このような相反する課題を解決するため、特許文献２では、シアター内部の音量を検出するマイクロホンと、当該マイクロホンによって得られた音量に応じて冷却用ファンの駆動を制御するファン制御手段とを有するファン騒音低減装置が提案されている。
【特許文献１】特開２００１−２３５７９７号公報
【特許文献２】特開２００４−２３３４６３号公報
【発明の開示】
【発明が解決しようとする課題】
【０００４】
しかし、特許文献２のファン騒音低減装置の場合、映像が音量の大きな（音圧の高い）シーンから音量の小さな（音圧の低い）シーンに変わった場合、ファンの速度を急激に変化させようとしても冷却ファンの回転慣性のため、ファン速度が目的の速度になる前に音量の小さなシーンになってしまい、視聴者にとって冷却ファンの回転音が気になる状態になってしまう。
【０００５】
一方、ファンの回転慣性による遅延を小さくするためにファン速度を急激に変化させる手法を採用した場合、表示装置が、ファン速度の急激な変化による異音を発生させてしまい、問題を解決することができない。
【０００６】
さらに、特許文献２のファン騒音低減装置の場合、音量の小さなシーンが長い場合、必要な冷却効果が得られず、ランプ等の温度上昇を抑えるという本来の目的を達成することができない。
【０００７】
本発明の目的は、表示装置の冷却ファンの制御をより適切に行うことが可能な制御システム、表示装置、プログラムおよび情報記憶媒体を提供することにある。
【課題を解決するための手段】
【０００８】
上記課題を解決するため、本発明に係る制御システムは、所定のシーンにおける画像情報に基づく画像の表示および前記画像情報に伴う音声情報に基づく音声の出力に先立って、前記所定のシーンにおける音声情報に基づき、音圧値を示す音圧情報を生成する音圧情報生成部と、
前記音圧情報に基づく音圧値に応じ、所定の熱源を冷却するための少なくとも１つの冷却ファンの駆動を制御するファン制御部と、
を含むことを特徴とする。
【０００９】
また、本発明に係る表示装置は、
上記制御システムと、
前記画像情報に基づいて画像を表示する表示部と、
を含むことを特徴とする。
【００１０】
また、本発明に係るプログラムは、コンピュータを、
所定のシーンにおける画像情報に基づく画像の表示および前記画像情報に伴う音声情報に基づく音声の出力に先立って、前記所定のシーンにおける音声情報に基づき、音圧値を示す音圧情報を生成する音圧情報生成部と、
前記音圧情報に基づく音圧値に応じ、所定の熱源を冷却するための少なくとも１つの冷却ファンの駆動を制御するファン制御部として機能させることを特徴とする。
【００１１】
また、本発明に係る情報記憶媒体は、コンピュータ読み取り可能な情報記憶媒体であって、上記プログラムを記憶したことを特徴とする。
【００１２】
本発明によれば、制御システム等は、実際の表示および音声の出力に先立って音圧値に応じて冷却ファンの駆動を制御することにより、冷却ファンの慣性遅延の影響を低減し、表示装置の冷却ファンの制御をより適切に行うことができる。
【００１３】
また、前記制御システム、前記表示装置、前記プログラムおよび前記情報記憶媒体において、前記ファン制御部は、前記音圧値が基準値を超える場合は冷却ファンの回転速度を通常速度よりも速くし、前記音圧値が基準値未満の場合は冷却ファンの回転速度を通常速度よりも遅くするように前記冷却ファンの駆動を制御してもよい。
【００１４】
これによれば、制御システム等は、静かなシーンでは冷却ファンの回転音を小さくすることにより、ユーザーの騒音に対する不快感を軽減し、冷却ファンの回転音の目立たない騒がしいシーンでは冷却ファンの回転速度が上がることにより、必要な冷却効果を得ることができる。
【００１５】
また、前記制御システムおよび前記表示装置は、前記画像の表示および前記音声の出力を遅延させるために、前記画像情報および前記音声情報を一時的に記憶する記憶部を含んでもよい。
【００１６】
また、前記プログラムおよび前記情報記憶媒体は、前記画像の表示および前記音声の出力を遅延させるために、前記画像情報および前記音声情報を一時的に記憶する記憶部としてコンピュータを機能させてもよい。
【００１７】
これによれば、制御システム等は、記憶部によって画像情報および音声情報を一時的に記憶することによって音声情報で表される音圧値を解析する時間を確保することができる。
【００１８】
また、前記制御システムおよび前記表示装置は、前記熱源の温度を計測して前記温度を示す温度情報を生成する温度情報生成部を含み、
前記ファン制御部は、前記音圧情報と、前記温度情報とに基づき、前記冷却ファンの駆動を制御してもよい。
【００１９】
また、前記プログラムおよび前記情報記憶媒体は、少なくとも前記投写部の温度を計測して前記温度を示す温度情報を生成する温度情報生成部としてコンピュータを機能させ、
前記ファン制御部は、前記音圧情報と、前記温度情報とに基づき、前記冷却ファンの駆動を制御してもよい。
【００２０】
これによれば、制御システム等は、温度と音圧に応じて冷却ファンを制御することにより、より適切に冷却ファンを制御することができる。
【００２１】
また、前記制御システム、前記表示装置、前記プログラムおよび前記情報記憶媒体において、前記ファン制御部は、前記音圧情報に基づく前記冷却ファンの制御情報を、前記温度情報で表される温度に応じて補正することにより、前記冷却ファンの駆動を制御してもよい。
【００２２】
これによれば、制御システム等は、実際の温度に応じて冷却ファンを補正制御することにより、より適切に冷却ファンを制御することができる。これにより、制御システム等は、例えば、音量の小さな（音圧値の小さい）シーンが長く続く場合であっても、冷却ファンに必要な冷却効果を発揮させることができる。
【００２３】
また、前記制御システム、前記表示装置、前記プログラムおよび前記情報記憶媒体において、前記音圧情報生成部は、単位時間当たりの音圧値を平均化することによって前記音圧情報を生成してもよい。
【００２４】
これによれば、制御システム等は、音圧値の変化が激しい場合であっても、当該変化を滑らかにすることができ、冷却ファンの速度変化も滑らかにすることができる。これにより、制御システム等は、冷却ファンの速度が急激に変化することによる異音の発生を防止することができる。
【００２５】
また、前記制御システム、前記表示装置、前記プログラムおよび前記情報記憶媒体において、前記音圧情報生成部は、前記音圧値を示す情報を、時間軸において前側にシフトすることによって前記音圧情報を生成してもよい。
【００２６】
これによれば、制御システム等は、冷却ファンの慣性遅延の影響を低減し、表示装置の冷却ファンの制御をより適切に行うことができる。
【００２７】
また、前記制御システム、前記表示装置、前記プログラムおよび前記情報記憶媒体において、前記音圧情報生成部は、前記シフト前の前記音圧値の推移を示す第１の線分、時間軸、前記第１の線分の始点から前記時間軸への垂線、前記第１の線分の終点から前記時間軸への垂線によって形成される面積と、前記シフト後の前記音圧値の推移を示す第２の線分、前記時間軸、前記第２の線分の始点から前記時間軸への垂線、前記第２の線分の終点から前記時間軸への垂線によって形成される面積とが等しくなるように、前記シフトに応じて前記音圧値を上げた情報を、前記音圧情報として生成してもよい。
【００２８】
これによれば、制御システム等は、シフトを行った場合であっても必要な冷却効果を得ることができる。
【００２９】
また、前記制御システム、前記表示装置、前記プログラムおよび前記情報記憶媒体において、前記ファン制御部は、複数の冷却ファンの回転速度を下げる場合、騒音に対する寄与度の最も高い冷却ファンから回転速度を下げるように前記複数の冷却ファンの駆動を制御してもよい。
【００３０】
これによれば、制御システム等は、複数の冷却ファンの回転速度を一度に下げるのではなく、１つずつ回転速度を下げることにより、冷却ファンの回転速度の低下による騒音の変化を滑らかにすることができる。さらに、制御システム等は、騒音に対する寄与度の最も高い（例えば、回転音の最も大きな）冷却ファンから回転速度を下げることにより、騒音の発生を効果的に抑制することができる。
【発明を実施するための最良の形態】
【００３１】
以下、本発明を冷却ファンの制御システムを有するプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００３２】
図１は、本実施例におけるプロジェクタ１００の機能ブロック図である。
【００３３】
表示装置の一種であるプロジェクタ１００は、画像信号（画像情報）および音声信号（音声情報）を入力する信号入力部１２０と、音声出力部１３０と、画像処理部１４０と、表示部の一種である投写部１５０と、少なくとも投写部１５０を冷却する冷却ファン１６０と、音声情報に基づいて冷却ファン１６０の駆動を制御する制御システム１１０とを含んで構成されている。
【００３４】
また、制御システム１１０は、所定のシーン（例えば、１秒〜１分等の解析処理単位時間）における画像情報に基づく画像の表示および前記画像情報に伴う音声情報に基づく音声の出力に先立って、上記所定のシーンにおける音声情報に基づき、音圧値を示す音圧情報を生成する音圧情報生成部と１１４と、音圧情報に基づく音圧値に応じ、冷却ファン１６０の駆動を制御するファン制御部１１６と、画像情報および音声情報を一時的に記憶する記憶部１１２と、投写部１５０の温度を計測して投写部１５０の温度を示す温度情報を生成する温度情報生成部１１８とを含んで構成されている。
【００３５】
なお、ここで、音圧値とは、例えば、音圧レベル(sound pressure level)、実効音圧(effective sound pressure)、音圧(sound pressure)等の音圧に関する種々の値が該当する。本実施例では、音圧値として音圧レベルが用いられているが、音圧レベルには限定されない。
【００３６】
また、これらの各部は、例えば、以下のハードウェアを用いて構成されてもよい。
【００３７】
例えば、信号入力部１２０としては一般的に用いられている入出力インターフェース等、音声出力部１３０としてはスピーカー等、画像処理部１４０としては画像処理回路等、投写部１５０としてはランプ、液晶パネル、投写レンズ、ドライバ等、記憶部１１２としてはＣＰＵ、ＲＡＭ等、音圧情報生成部１１４、ファン制御部１１６としてはＣＰＵ等、温度情報生成部１１８としては温度センサー等を用いて構成されてもよい。なお、ランプ、液晶パネルは、熱源の一種である。
【００３８】
さらに、音圧情報生成部１１４等としてコンピュータを機能させるためのプログラムを記憶した情報記憶媒体２００からプログラムを読み取って音圧情報生成部１１４等の機能をコンピュータに実装してもよい。
【００３９】
このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００４０】
また、情報記憶媒体２００に代えて、上述した各機能を実装するためのプログラム等を、伝送路を介してホスト装置等からダウンロードすることによって上述した各機能を実装することも可能である。
【００４１】
ここで、本実施例におけるファン制御の基本的な制御方式について説明する。
【００４２】
図２は、本実施例におけるファン制御を示す概略図である。
【００４３】
所望の冷却効果を得るためには、ファン制御部１１６は、一定のファン速度で冷却ファン１６０を回転させればよい。すなわち、ファン速度×ファン駆動時間＝冷却効果である。
【００４４】
例えば、変更前のファン速度制御が図２の実線に示す状態であるものとする。例えば、プロジェクタ１００が、後半にのみ静かなシーンがある映像を表示する場合、当該シーンにおいて通常のファン速度で冷却ファン１６０を回転させると、ユーザーにとって冷却ファン１６０の回転音が気になってしまう。
【００４５】
そこで、本実施例では、プロジェクタ１００は、図２の点線に示すように、静かなシーンにおける冷却ファン１６０の回転速度を落とし、騒がしいシーンにおける冷却ファン１６０の回転速度を上げる。より具体的には、プロジェクタ１００は、変化前におけるファン速度を示す第１の線分（時間軸に平行な実線）、時間軸、第１の線分の始点から時間軸への垂線、第１の線分の終点から時間軸への垂線で囲まれる面積と、変化後におけるファン速度を示す第２の線分（時間軸に平行な点線）、時間軸、第２の線分の始点から時間軸への垂線、第２の線分の終点から時間軸への垂線で囲まれる面積とが同じになるように、ファン速度を制御する。
【００４６】
プロジェクタ１００は、このような制御を行うことにより、静かなシーンにおける冷却ファン１６０の回転速度を落とした場合であっても必要な冷却効果を得ることができる。
【００４７】
次に、より具体的な制御方法について説明する。
【００４８】
図３は、本実施例におけるファン制御の流れを示すフローチャートである。
【００４９】
信号入力部１２０は、画像情報および音声情報を入力し、記憶部１１２は、信号入力部１２０からの画像情報および音声情報を一時的に（例えば、１秒〜１分程度）記憶する。そして、音圧情報生成部１１４は、記憶部１１２に記憶された音声情報に基づき、音圧処理単位時間（例えば、１〜１０秒程度）当たりの音圧レベルの変化を示す音圧情報を生成する（ステップＳ１）。
【００５０】
図４は、本実施例における音圧レベルの変化を示す図である。また、図５は、本実施例における音圧レベルを平均化した状態を示す図である。
【００５１】
音圧情報生成部１１４は、図４に示すように音圧レベルの変化が激しい場合であっても、図５に示すように一定時間ごとの音圧レベルを平均化することによって音圧レベルの変化を滑らかにする。なお、図４、図５に示すように、静かなシーンでは音圧レベルが閾値以下となる。
【００５２】
図６は、本実施例における音圧レベルを示す情報を左にシフトした状態を示す図である。また、図７は、本実施例における音圧レベルを示す情報を上にシフトした状態を示す図である。
【００５３】
そして、音圧情報生成部１１４は、図２を用いて説明したように、音圧レベルを示す情報を、時間軸において前側にシフトし、さらに音圧レベルの軸において上側にシフトして音圧情報を生成する。より具体的には、音圧情報生成部１１４は、シフト前の音圧レベルの推移を示す第１の線分、時間軸（横軸）、第１の線分の始点から時間軸への垂線、第１の線分の終点から時間軸への垂線によって囲まれる面積と、シフト後の音圧レベルの推移を示す第２の線分、時間軸（横軸）、第２の線分の始点から時間軸への垂線、第２の線分の終点から時間軸への垂線によって囲まれる面積とが等しくなるように、音圧レベルをシフトして音圧情報を生成する。
【００５４】
また、温度情報生成部１１８は、投写部１５０（例えば、ランプ、液晶パネル等）の温度を計測して当該温度を示す温度情報を生成する（ステップＳ２）。
【００５５】
図８は、本実施例における温度情報に基づくファン速度を示す図である。
【００５６】
このような温度情報に基づくファン速度の調整は従来から行われている。ファン制御部１１６は、例えば、温度が上昇すればファン速度を上げるように冷却ファン１６０を制御する。
【００５７】
図９は、本実施例における温度情報とゲインに基づくファン速度を示す図である。
【００５８】
ファン制御部１１６は、音圧情報生成部１１４からの音圧情報に基づいてゲインを決定する（ステップＳ３）。なお、ここで、ゲインとは温度情報に基づくファン速度（ファン電圧でもよい。）と掛け合わせる乗数のことである。
【００５９】
より具体的には、ファン制御部１１６は、ｔ時点における音圧レベルを、基準となる音圧レベル（基準値）で割ることによってゲインを求める。例えば、音圧レベルが基準値と一致する場合、図９の破線に示すように、ゲインは１．０となる。なお、ファン制御部１１６は、この基準値として、ユーザーによる実験等によって決定された数値を用いてもよいし、ユーザーによって入力された数値を用いてもよい。
【００６０】
また、基準値は幅を持たせてもよい。すなわち、ファン制御部１１６は、例えば、音圧レベルがａ〜ｂの場合はゲインとして１．０を採用し、音圧レベルがａ未満の場合に音圧レベルをａで割った値をゲインとして採用し、音圧レベルがｂを超える場合に音圧レベルをｂで割った値をゲインとして採用してもよい。この場合、音圧レベルがｂを超える場合が騒がしいシーンであり、音圧レベルがａ〜ｂの場合が通常のシーンであり、音圧レベルがａ未満の場合が静かなシーンである。
【００６１】
そして、ファン制御部１１６は、温度情報に基づくファン速度とゲインを掛け合わせることによって目標となるファン速度（ファン電圧）を決定する。図９に示すように、音圧レベルが基準値よりも高い場合、ファン速度は通常よりも上がり、音圧レベルが基準値よりも低い場合、ファン速度は通常よりも下がる。
【００６２】
さらに、ファン制御部１１６は、決定したファン速度となるように冷却ファン１６０の駆動を制御する（ステップＳ４）。
【００６３】
以上のように、本実施例によれば、プロジェクタ１００は、実際の投写および音声の出力に先立って音圧レベルに応じて冷却ファン１６０の駆動を制御することにより、冷却ファン１６０の慣性遅延の影響を低減し、冷却ファン１６０の制御をより適切に行うことができる。
【００６４】
より具体的には、プロジェクタ１００は、基準値を超える音圧レベルの場合は通常速度よりもファン速度を上げ、基準値未満の音圧レベルの場合は通常速度よりもファン速度を下げるように冷却ファン１６０を制御する。これにより、プロジェクタ１００は、静かなシーンでは冷却ファン１６０の回転音を小さくすることにより、ユーザーの騒音に対する不快感を軽減し、冷却ファン１６０の回転音の目立たない騒がしいシーンでは冷却ファン１６０の回転速度が上がることにより、必要な冷却効果を得ることができる。
【００６５】
また、本実施例によれば、プロジェクタ１００は、記憶部１１２によって画像情報および音声情報を一時的に記憶することによって音声情報で表される音圧レベルを解析する時間を確保することができる。
【００６６】
また、本実施例によれば、プロジェクタ１００は、音圧レベルだけではなく、実際の温度に応じて冷却ファン１６０を補正制御することにより、より適切に冷却ファン１６０を制御することができる。これにより、プロジェクタ１００は、例えば、音量の小さな（音圧レベルの低い）シーンが長く続く場合であっても、冷却ファン１６０に必要な冷却効果を発揮させることができる。すなわち、静かなシーンが長く続く場合、最初のうちはゲインが低下するため、冷却ファン１６０の回転速度は通常速度よりも低下するが、熱源の温度が上昇するため、温度の上昇に応じて冷却ファン１６０の回転速度も上がることにより、熱源は適切に冷却される。
【００６７】
また、本実施例によれば、プロジェクタ１００は、単位時間当たりの音圧レベルを平均化することにより、音圧レベルの変化が激しい場合であっても、当該変化を滑らかにすることができ、冷却ファン１６０の速度変化も滑らかにすることができる。これにより、制御システム等は、冷却ファン１６０の速度が急激に変化することによる異音の発生を防止することができる。
【００６８】
また、本実施例によれば、プロジェクタ１００は、音圧レベルを示す情報を、時間軸において前側にシフトすることにより、冷却ファン１６０の慣性遅延の影響を低減し、冷却ファン１６０の制御をより適切に行うことができる。
【００６９】
また、本実施例によれば、プロジェクタ１００は、このようなシフトを行った場合であってもシフトに応じて音圧を示す情報を補正することにより、必要な冷却効果を得ることができる。
【００７０】
なお、本発明の適用は上述した実施例に限定されず、種々の変形が可能である。
【００７１】
例えば、プロジェクタ１００は、複数の冷却ファン１６０を有してもよく、ファン制御部１１６は、複数の冷却ファン１６０を制御してもよい。
【００７２】
図１０は、本実施例における複数の冷却ファン１６０を制御する場合のファン速度を示す図である。
【００７３】
例えば、プロジェクタ１００にファンＡ、ファンＢ、ファンＣの３つの冷却ファン１６０が設けられている場合であって、かつ、各ファンの回転速度を下げる場合、ファン制御部１１６は、騒音に対する寄与度の最も高い冷却ファン１６０から回転速度を下げるように各ファンの駆動を制御する。
【００７４】
これによれば、プロジェクタ１００は、複数の冷却ファン１６０の回転速度を一度に下げるのではなく、１つずつ回転速度を上げることにより、冷却ファン１６０の回転速度の低下による騒音の変化を滑らかにすることができる。さらに、プロジェクタ１００は、騒音に対する寄与度の最も高い（例えば、回転音の最も大きな）冷却ファン１６０から回転速度を下げることにより、騒音の発生を効果的に抑制することができる。
【００７５】
なお、騒音に対する寄与度は、例えば、プロジェクタ１００の製造業者が実測して求めた値が採用されてもよい。
【００７６】
また、このように、複数の冷却ファン１６０が設けられる場合、冷却ファン１６０の冷却対象（熱源）のそれぞれに温度情報生成部１１８を設け、ファン制御部１１６は、各温度情報生成部１１８からの温度情報に基づいて各冷却ファン１６０を補正制御してもよい。
【００７７】
また、画像処理部１４０は、上述した音圧情報に基づくファン制御機能を有効にするかどうかをユーザーに選択させるメニュー画像を投写するためのメニュー画像情報を生成してもよい。そして、音圧情報に基づくファン制御機能を無効にすることが選択された場合、記憶部１１２、音圧情報生成部１１４、ファン制御部１１６は、上述した音圧情報に基づくファン制御を行わないように機能してもよい。
【００７８】
さらに、プロジェクタ１００は、このようなメニュー画像において、画像情報および音声情報を先読みする時間、冷却ファン１６０の制御の程度（冷却重視、静音重視等）等をユーザーに設定させてもよい。
【００７９】
また、本実施例における画像情報は、動画像情報に限定されず、静止画像情報でもよい。静止画像情報の場合、記憶部１１２は、静止画像情報をそのまま画像処理部１４０に転送し、音声情報のみを遅延させてもよい。
【００８０】
また、本実施例のように、プロジェクタ１００が画像情報と音声情報を先読みすることにより、ＤＶＤプレーヤー等を用いることなく、プロジェクタ１００単体で早送り、巻き戻し等の機能を実現することも可能である。
【００８１】
また、熱源は、ランプ、液晶パネル以外にも、例えば、画像処理回路、ＣＰＵ等が該当する。冷却ファン１６０は、プロジェクタ１００内部のすべての熱源を冷却してもよいし、一部の熱源を冷却してもよい。また、冷却ファン１６０は、熱源に風を直接当てるものであってもよいし、熱源への吸気または熱源からの排気を行うものであってもよい。
【００８２】
また、プロジェクタ１００としては、液晶プロジェクタ、ＤＭＤ(Digital Micromirror Device)を用いたプロジェクタ、ＣＲＴプロジェクタ等の種々のプロジェクタを採用可能である。なお、ＤＭＤは米国テキサスインスツルメンツ社の商標である。
【００８３】
また、制御システム１１０を搭載する表示装置は、プロジェクタ１００に限定されず、ＯＨＰ、ＰＣ(Personal Computer)等の熱源と冷却ファンを有する種々の表示装置を採用可能である。
【００８４】
また、制御システム１１０は、プロジェクタ１００とは別の単体の装置として構成されてもよい。
【図面の簡単な説明】
【００８５】
【図１】本実施例におけるプロジェクタの機能ブロック図である。
【図２】本実施例におけるファン制御を示す概略図である。
【図３】本実施例におけるファン制御の流れを示すフローチャートである。
【図４】本実施例における音圧レベルの変化を示す図である。
【図５】本実施例における音圧レベルを平均化した状態を示す図である。
【図６】本実施例における音圧レベルを示す情報を左にシフトした状態を示す図である。
【図７】本実施例における音圧レベルを示す情報を上にシフトした状態を示す図である。
【図８】本実施例における温度情報に基づくファン速度を示す図である。
【図９】本実施例における温度情報とゲインに基づくファン速度を示す図である。
【図１０】本実施例における複数の冷却ファンを制御する場合のファン速度を示す図である。
【符号の説明】
【００８６】
１００  プロジェクタ（表示装置）、１１０  制御システム、１１２  記憶部、１１４  音圧情報生成部、１１６  ファン制御部、１１８  温度情報生成部、１５０  投写部（表示部、熱源）、１６０  冷却ファン、２００  情報記憶媒体
【図１】
2007127696.tif 000003
【図２】
2007127696.tif 000004
【図３】
2007127696.tif 000005
【図４】
2007127696.tif 000006
【図５】
2007127696.tif 000007
【図６】
2007127696.tif 000008
【図７】
2007127696.tif 000009
【図８】
2007127696.tif 000010
【図９】
2007127696.tif 000011
【図１０】
2007127696.tif 000012